(57)【要約】【課題】スクリーンを引き出して任意の位置でスクリーンを固定でき、且つ引き出されているスクリーンをさらに若干引き出して固定を解除し、スクリーンを巻取ローラに巻き込ませることのできる回転規制装置を備えたロールブラインドを提供する。【解決手段】巻取ローラ２から引き出されたスクリーンＰを任意の位置でロックし、且つ引き出されているスクリーンＰを巻取ローラ２から若干引き出すことでロックを解除して巻取ローラ２に巻き取らせる回転規制装置を備えたロールブラインド１において、前記回転規制装置は、上端側を吊持固定したスクリーンＰにおいて、フリー状態にあるスクリーンＰの下端側に配置され、回転規制装置の近傍には、回転規制装置によって巻き取られるスクリーンＰの下垂する張力面の背面から回転規制装置の所定の戻りトルクをもって当接する当接部材を備えている。【選択図】図２
2006188867.tif 000002
【特許請求の範囲】
【請求項１】
巻取ローラから引き出されたスクリーンを任意の位置でロックし、且つ引き出されているスクリーンを巻取ローラから若干引き出すことでロックを解除して巻取ローラに巻き取らせる回転規制装置を備えたロールブラインドにおいて、前記回転規制装置は、上端側を吊持固定したスクリーンにおいて、フリー状態にあるスクリーンの下端側に配置され、回転規制装置の近傍には、回転規制装置によって巻き取られるスクリーンの下垂する張力面の背面から回転規制装置の所定の戻りトルクをもって当接する当接部材を備えたことを特徴とするロールブラインド。
【請求項２】
当接部材は、テンションローラである請求項１に記載のロールブラインド。
【請求項３】
スクリーンは、粗目のメッシュによる第１のスクリーン部分と、密目のメッシュによる第２のスクリーン部分から形成されている請求項１または２に記載のロールブラインド。
【請求項４】
巻取ローラから引き出されたスクリーンを任意の位置でロックし、且つ引き出されているスクリーンを巻取ローラから若干引き出すことでロックを解除して巻取ローラに巻き取らせる回転規制装置を備えたロールブラインドにおいて、前記スクリーンは、粗目のメッシュによる第１のスクリーン部分と、密目のメッシュによる第２のスクリーン部分から形成され、前記回転規制装置は、第１のスクリーン部分および第２のスクリーン部分のそれぞれを個別に巻き取るよう、スクリーンの上端側と、フリー状態にあるスクリーンの下端側にそれぞれ配置され、下端側の回転規制装置の近傍には、回転規制装置によって巻き取られるスクリーンの下垂する張力面の背面に対して回転規制装置の所定の戻りトルクをもって当接する当接部材を備えたことを特徴とするロールブラインド。
【請求項５】
当接部材は、テンションローラである請求項４に記載のロールブラインド。
【請求項６】
テンションローラには、スクリーンを手指で引っ張るための取っ手が取り付けられている請求項１乃至５のいずれかに記載のロールブラインド。
【請求項７】
回転規制装置は、巻き取りが可能な巻取部材を巻取ローラに取着し、前記巻取ローラを固定軸に回転可能に支持し、前記巻取ローラを付勢手段により巻き取り方向に付勢し、前記巻取ローラ内には、前記付勢手段の付勢力による巻き取り動作と、前記巻取ローラの回転に基づく巻き戻し動作と、前記巻き戻し動作後には前記付勢手段による巻取ローラの回転を阻止する規制動作とを選択可能にしたクラッチ装置を備えている請求項１乃至６のいずれかに記載のロールブラインド。
【請求項８】
回転規制装置の固定軸は、前記巻取ローラとテンションローラの平行性を維持するために巻取ローラを通して貫通し、スクリーンの背面に当接する前記テンションローラの取付部品が固定軸に回転不能に取り付けられている請求項１乃至７のいずれかに記載のロールブラインド。
【請求項９】
回転規制装置は、スクリーンの巻取ローラとテンションローラの平行性を維持するためにスクリーンの左右両端側に配置されている請求項１乃至８のいずれかに記載のロールブラインド。
【請求項１０】
当接部材は、回転可能である請求項１または２、請求項４または５のいずれかに記載のロールブラインド。
【請求項１１】
取っ手は、回転可能である請求項６に記載のロールブラインド。
【発明の詳細な説明】
【技術分野】
【０００１】
本発明は、スクリーンを引き出して任意の位置でスクリーンを固定でき、且つ引き出されているスクリーンをさらに若干引き出して固定を解除し、スクリーンを巻取ローラに巻き込ませることのできる回転規制装置を備えたロールブラインドに関するものである。
【背景技術】
【０００２】
従来より、この種のロールブラインドの回転規制装置として、種々の機構のものが提案されている。
【０００３】
例えば、特許文献１に開示されているように、固定軸に回転可能に支持された被制動体と巻取軸に、当該巻取軸の回転に基づいて被制動体を回転させながら固定軸側の制動体に噛み合う位置と噛み合わない位置との間で往復動させるカム機構を設け、制動体、被制動体相互が噛み合わない位置で巻取軸を回転可能とし、噛み合う位置では巻取軸を回転不能とすると共に、前記制動体には、カム機構により被制動体と噛み合う位置から噛み合わない位置まで移動するために要する巻取軸の回転角度の範囲で当該制動体を巻取軸と共に回転可能とする回転許容手段を設けて成るクラッチ装置を構成したものがあり、このような回転規制装置は、スクリーンの上端側に設けられ、スクリーンの下端側をフリーな状態にしている。
【０００４】
また、従来においては、粗目のメッシュによるスクリーンと、密目のメッシュによるスクリーンによる複数の独立したスクリーンを併設しておき、外光の強弱に応じてこれらのスクリーンを使い分けているのが現状である。
【０００５】
さらに、従来においては、特許文献２・３に示すように、回転規制装置に基づくスクリーンの引き出しや巻き取りの動作に伴ない、当該スクリーンの左右縁側に片寄りが生じて全面に弛みや皺が発生しないよう、例えば、左右一対の縦長のガイドレールを設けていた。
【特許文献１】特開平９−１１９２７８号公報
【特許文献２】特開２００４−２１１２９８号公報
【特許文献３】特開２００４−２１１２９９号公報
【発明の開示】
【発明が解決しようとする課題】
【０００６】
しかしながら、上述した従来の機構においては、回転規制装置の殆どをスクリーンの上端側のみに配置しているため、下端側からスクリーンを巻き取ることができない構造となっている。このため、例えば、一枚のスクリーンにおいて、粗目のメッシュによるスクリーン部分と、密目のメッシュによるスクリーン部分を備えたものでは、上方からの巻き取りのみが可能となり、スクリーンを下方から巻き取ることができなかった。すなわち、従来の機構においては、スクリーンの上方または下方を、選択的に巻き取ることが不可能であった。
【０００７】
しかも、回転規制装置をスクリーンのフリーな状態にある下端側に配置した場合には、回転規制装置によって巻き取られるスクリーンに対し、下垂するスクリーン面と巻取ローラとの平行性を維持するための何らかの作用がなければ、スクリーンのスムーズな巻き取りが不可能である。
【０００８】
また、従来のように粗目のメッシュによるスクリーンと、密目のメッシュによるスクリーンとによる複数の独立したスクリーンを併設して成るものでは、スクリーンの数に対応した複数の回転規制装置が必要となってしまい、窓枠に対する設置が煩雑となり、且つコストもかかってしまう。
【０００９】
さらに、従来のように左右一対の縦長のガイドレールを設けたものにあっても、窓枠に対する設置が煩雑となり、且つコストもかかってしまう。
【００１０】
そこで、本発明は如上のような従来存した諸事情に鑑み創出されたもので、一枚のスクリーンで複数の異なった遮光効果が得られると共に、一枚のスクリーンにおいて、粗目のメッシュによるスクリーン部分と、密目のメッシュによるスクリーン部分を備えたものであっても、いずれか一方のスクリーン部分を選択的に巻き取ることができ、さらに、回転規制装置によって巻き取られるスクリーンに対し自重の張力を作用させ、また、スクリーンの背面に当接するテンションローラによる巻取ローラと、巻き取られるスクリーン面との平行性の維持を作用させることで、スクリーンの片寄らないスムーズな巻き取りが可能となり、加えて、スクリーンの粗密にかかわりなく、スクリーンの上部を取付枠に固定し、単純にスクリーンを下から上に巻き上げる商品が構成され、また、窓枠に対する設置が容易で、且つ低コストで作製できるロールブラインドを提供することを目的とする。
【課題を解決するための手段】
【００１１】
本発明にあっては、巻取ローラから引き出されたスクリーンを任意の位置でロックし、且つ引き出されているスクリーンを巻取ローラから若干引き出すことでロックを解除して巻取ローラに巻き取らせる回転規制装置を備えたロールブラインドにおいて、前記回転規制装置は、上端側を吊持固定したスクリーンにおいて、フリー状態にあるスクリーンの下端側に配置され、回転規制装置の近傍には、回転規制装置によって巻き取られるスクリーンの下垂する張力面の背面から回転規制装置の所定の戻りトルクをもって当接する当接部材を備えたことで、上述した課題を解決した。
【００１２】
また、当接部材は、テンションローラであることで、同じく上述した課題を解決した。
【００１３】
さらに、スクリーンは、粗目のメッシュによる第１のスクリーン部分と、密目のメッシュによる第２のスクリーン部分から形成されていることで、同じく上述した課題を解決した。
【００１４】
また、巻取ローラから引き出されたスクリーンを任意の位置でロックし、且つ引き出されているスクリーンを巻取ローラから若干引き出すことでロックを解除して巻取ローラに巻き取らせる回転規制装置を備えたロールブラインドにおいて、前記スクリーンは、粗目のメッシュによる第１のスクリーン部分と、密目のメッシュによる第２のスクリーン部分から形成され、前記回転規制装置は、第１のスクリーン部分および第２のスクリーン部分のそれぞれを個別に巻き取るよう、スクリーンの上端側と、フリー状態にあるスクリーンの下端側にそれぞれ配置され、下端側の回転規制装置の近傍には、回転規制装置によって巻き取られるスクリーンの下垂する張力面の背面に対して回転規制装置の所定の戻りトルクをもって当接する当接部材を備えたことで、同じく上述した課題を解決した。
【００１５】
加えて、当接部材は、テンションローラであることで、同じく上述した課題を解決した。
【００１６】
また、テンションローラには、スクリーンを手指で引っ張るための取っ手が取り付けられていることで、同じく上述した課題を解決した。
【００１７】
この他、回転規制装置は、巻き取りが可能な巻取部材を巻取ローラに取着し、前記巻取ローラを固定軸に回転可能に支持し、前記巻取ローラを付勢手段により巻き取り方向に付勢し、前記巻取ローラ内には、前記付勢手段の付勢力による巻き取り動作と、前記巻取ローラの回転に基づく巻き戻し動作と、前記巻き戻し動作後には前記付勢手段による巻取ローラの回転を阻止する規制動作とを選択可能にしたクラッチ装置を備えていることで、同じく上述した課題を解決した。
【００１８】
また、回転規制装置の固定軸は、前記巻取ローラとテンションローラの平行性を維持するために巻取ローラを通して貫通し、スクリーンの背面に当接する前記テンションローラの取付部品が固定軸に回転不能に取り付けられていることで、同じく上述した課題を解決した。
【００１９】
さらに、回転規制装置は、スクリーンの巻取ローラとテンションローラの平行性を維持するためにスクリーンの左右両端側に配置されていることで、同じく上述した課題を解決した。
【００２０】
また、当接部材は、回転可能であることで、同じく上述した課題を解決した。
【００２１】
加えて、取っ手は、回転可能であることで、同じく上述した課題を解決した。
【発明の効果】
【００２２】
本発明によれば、一枚のスクリーンで複数の異なった遮光効果が得られると共に、一枚のスクリーンにおいて、粗目のメッシュによるスクリーン部分と、密目のメッシュによるスクリーン部分を備えたものであっても、いずれか一方のスクリーン部分を選択的に巻き取ることができる。また、スクリーンの粗密にかかわりなく、スクリーンの上部を固定し、単純にスクリーンを下から上に巻き上げることができる。
【００２３】
さらに、回転規制装置によって巻き取られるスクリーンの下垂する張力面の背面に対し、テンションローラを回転規制装置の所定の戻りトルクをもって当接させることで、スムーズなスクリーンの巻き取りが可能となる。特に、スクリーンの下端側に配置した回転規制装置において、スクリーンの下垂する張力面の背面側にテンションローラを当接させているので、下端側の回転規制装置によるスクリーンの巻き取りに際し、テンションローラ自体の回転力をスクリーンの背面で受け止めることができる。
【００２４】
さらに、巻取ローラとテンションローラの平行性を維持すべく、当該固定軸は巻取ローラを通して貫通し、テンションローラの取付部品を固定軸に回転不能に取り付けたり、あるいは、回転規制装置をスクリーンの左右両端側に配置しているので、従来のようにスクリーンの左右両側に一対の縦長のガイドレールを配置する必要が無くなり、窓枠に対する固定が容易で、且つ低コストで作製できる。
【００２５】
本発明によれば、スクリーンの下端側に配置した回転規制装置の所定の戻りトルクをもって、スクリーンの背面に当接部材としてのテンションローラが当接する。このテンションローラの取付部品は、固定軸に回転不能に取り付けられている。そして、巻取ローラから引き出されるスクリーンの下垂自重の張力面の背面からテンションローラを当接することで、回転規制装置の付勢力による固定軸の戻りを規制することとなり、結果として付勢力が巻取ローラ側に開放されることとなり、スクリーンの巻き取りが可能となる。
【発明を実施するための最良の形態】
【００２６】
以下に、本発明を実施するための最良の形態を、図面を参照して説明する。本発明に係るロールブラインド１は、所定の回転規制装置を備えている。この回転規制装置は、図１・図２に示すように、常に巻き取り方向に付勢された巻取ローラ２からスクリーンＰを引き出して任意の位置で巻取ローラ２の巻き取り方向の回転を阻止でき、且つ引き出されているスクリーンＰをさらに若干引き出して巻き取り方向の回転阻止を解除し、スクリーンＰを巻取ローラ２に巻き取ることができる。
【００２７】
この回転規制装置を備えたロールブラインド１は、スクリーンＰの上端側を支持した上側ブラケットＱによって、木枠やサッシ等の取付面に直付けできるようにしてある。具体的には、図１（ａ）・（ｂ）に示すように、上側ブラケットＱとしては、両端が円弧状に湾曲した断面略Ｈ型棒枠状の取付枠部Ｑ１と、この取付枠部Ｑ１の上側凹所に嵌め込まれ、取付幅に対応して横スライド可能としたフック部Ｑ２とによって構成され、取付枠部Ｑ１の下側凹所には、スクリーンＰの上端側を固定した長尺帯状の固定片Ｑ３が着脱可能となるように嵌め込まれている。
【００２８】
尚、固定片Ｑ３自体は、これを強制的に回転させて取付枠部Ｑ１の下側凹所を強制的に拡開方向に撓曲させることで、当該凹所内から容易に抜脱できるようにしてある。
【００２９】
また、前記回転規制装置は、上端側を前記上側ブラケットＱによって吊持固定させて成るスクリーンＰにおいて、フリー状態にあるスクリーンＰの下端側に配置されている。すなわち、回転規制装置は、巻き取りが可能な巻取部材を巻取ローラ２に取着し、前記巻取ローラ２を固定軸に回転可能に支持し、前記巻取ローラ２を付勢手段により巻き取り方向に付勢し、前記巻取ローラ２内には、前記付勢手段の付勢力による巻き取り動作と、前記巻取ローラ２の回転に基づく巻き戻し動作と、前記巻き戻し動作後には前記付勢手段による巻取ローラ２の回転を阻止する規制動作とを選択可能にした、不図示のクラッチ装置を備えている。
【００３０】
この回転規制装置の具体的な構成は、略長円形状に形成された一対のブラケットＲ１，Ｒ２に回転不能に取り付けられた固定軸と、前記固定軸に一端側が回転自在に支持され、他端側が他方のブラケットＲ２に回転自在に支持されるスクリーンＰの巻き取り用の巻取ローラ２と、一端側が前記固定軸に係止され、他端側が前記巻取ローラ２に係止されてスクリーンＰの巻き上げ動力として用いられるコイルスプリングを備え、前記コイルスプリングの巻き取り付勢力による固定軸に対する巻取ローラ２の巻き取り回転を、許容または阻止する状態に選択可能に構成されている。そして、固定軸自体は角柱状に形成され、固定軸が巻取ローラ２を通して貫通していることから、巻取ローラ２と、当接部材としてのテンションローラ３の平行性を維持している。
【００３１】
また、図３（ａ）に示すように、前記一方のブラケットＲ１（またはＲ２）は、角柱状に形成された固定軸の一端を嵌合する角穴部２Ａを有し、この角穴部２Ａの方向を回転させることによってコイルスプリングの巻き強さを調整するようにしている。例えば、二股レバー状に形成された一方のブラケットＲ１（またはＲ２）を、ブラケットベースに対して回動自在に枢着し、当該ブラケットＲ１（またはＲ２）に設けた単数の係止突起、もしくは、複数の係止突起のうちのいずれか１つを、ブラケットベースの角部、もしくは、ブラケットベースの内面に形成された係合孔部に摩擦バネを介して係止させてコイルスプリングの巻き強さを調整するのである。
【００３２】
尚、回転規制装置について説明した上記の構成は、本発明を何等限定するものではなく、他の構成を採用しても良い。また、巻取ローラ２とテンションローラ３の平行性を維持するために、固定軸自体を角柱状に形成して巻取ローラ２に貫通させる替わりに、回転規制装置をスクリーンＰの左右両端側に配置しても良い。さらに、スクリーンＰは、粗目のメッシュによる、例えば、上側の第１のスクリーン部分Ｐ１と、密目のメッシュによる、例えば、下側の第２のスクリーン部分Ｐ２により形成されていても良い。また、固定軸は角柱状にこだわらず、回転を規制できる他の物理的な方法を講じても良い。
【００３３】
加えて、当接部材は、テンションローラ３に限定されることはない。例えば、当接部材として、ブラケットＲ１，Ｒ２の間に所定のワイヤーを張設するものであっても良い。また、ブラケットＲ１，Ｒ２のそれぞれから内側に向けて、１０ｃｍ程度の長さを備えた棒部材やローラを突出状に配置しても良い。
【００３４】
また、回転規制装置は、図２に示すように、左右一対のブラケットＲ１，Ｒ２によって、巻取ローラ２と平行となるように当接部材としてのテンションローラ３を支持している。このテンションローラ３は、回転規制装置によって巻き取られるスクリーンＰの下垂する張力面の背面から回転規制装置の所定の戻りトルクをもって当接するものである。
【００３５】
すなわち、図２に示すスクリーンＰの下端側に配置した回転規制装置において、巻取ローラ２によるスクリーンＰの時計方向への巻き取り動作中に連動して作用する反時計方向への回転力を、テンションローラ３が、巻取ローラ２に巻き取られるスクリーンＰの背面側に当接して受け止めている。この状態で巻取ローラ２がさらに時計方向に回転すると、スクリーンＰが巻取ローラ２に巻き取られ、回転規制装置が上方に移動するのである。
【００３６】
また、テンションローラ３の略中央には、スクリーンＰを手指で引っ張るために、下向き舌片状に形成された取っ手４が取り付けられている。そして、テンションローラ３と取っ手４の取付部を回転可能とし、スクリーンＰが巻き取られる際、当接するテンションローラ３が回転する構造を選択しても良い。
【００３７】
次に、以上のように構成された本発明の最良の形態について、使用・動作の一例を説明する。まず、図１（ａ）・（ｂ）に示すように、スクリーンＰの下端側に配置した回転規制装置の巻取ローラ２からスクリーンＰが引き出されている状態において、回転規制装置におけるテンションローラ３の取っ手４を若干下方に引っ張ることで、巻取ローラ２の巻き取り方向の回転阻止を解除し、スクリーンＰが巻取ローラ２に巻き取られる。一方、取っ手４を下方に引っ張って巻取ローラ２からスクリーンＰを引き出す場合には、当該スクリーンＰの任意の位置で巻取ローラ２の巻き取り方向の回転が阻止されるため、スクリーンＰを所望の位置まで引き出しておくことができる。
【００３８】
図３乃至図５には、本発明を実施するための最良の形態における他例が示されている。
【００３９】
尚、前記した実施の形態における構成と略同じ構成の部分には同じ符号を付すことにより、その詳細な説明を省略している。すなわち、本例において、前記スクリーンＰは、図３（ａ）に示すように、上側に配置される粗目のメッシュによる第１のスクリーン部分Ｐ１と、下側に配置される密目のメッシュによる第２のスクリーン部分Ｐ２から形成されている。
【００４０】
また、回転規制装置は、図３（ａ）・（ｂ）に示すように、第１のスクリーン部分Ｐ１および第２のスクリーン部分Ｐ２のそれぞれを個別に巻き取るよう、第１のスクリーン部分Ｐ１の上端側と、第２のスクリーン部分Ｐ２の下端側のそれぞれに配置されている。
【００４１】
スクリーンＰの上端側に配置された回転規制装置は、図３（ａ）・（ｂ）に示すように、略円形状に形成された一対のブラケットＲ１，Ｒ２に、巻取ローラ２を回転可能に支持している。一方のブラケットＲ１には、回転操作用のエンドレスチェーン５が巻架された回転ローラ６が回転可能に支承され、この回転ローラ６の中心にある角柱状の回転軸６Ａを、他方のブラケットＲ２に回転自在に一端が支持されたスクリーンＰの巻き取り用の巻取ローラ２の他端側の角穴部２Ａに取り付け、エンドレスチェーン５を一方向へ引っ張る操作によって、巻取ローラ２が回転するようにしてある。
【００４２】
また、回転ローラ６側には、クラッチバネ７およびクラッチ機構部８を備え、巻取ローラ２から下垂するスクリーンＰを引っ張ったとしても、巻取ローラ２の回転を阻止できるように構成され、エンドレスチェーン５のブラケットＲ１からの引出し口の変更装置Ｔが構成されている。そして、図４に示すように、スクリーンＰの上端側に配置された回転規制装置は、略コ字枠状の上側ブラケットＱによって、木枠やサッシ等の取付面に直付けできるようにしてある。
【００４３】
エンドレスチェーン５のブラケットＲ１からの引出し口の変更装置Ｔは、図４に示すように、下向き舌片状に形成されている。この変更装置Ｔは、一方のブラケットＲ１（またはＲ２）をブラケットベースに対して回動自在に枢着し、当該ブラケットＲ１（またはＲ２）に備えた単数の係止突起、もしくは、複数の係止突起のうちのいずれか１つを、ブラケットベースの角部、もしくは、ブラケットベースの内面に形成された係合孔部に係止させるものとし、エンドレスチェーン５の操作位置（右又は左）および上側ブラケットＱの取付位置（天井付又は壁付）に対応できるようにしてある。
【００４４】
次に、以上のように構成された本発明の最良の形態における他例について、使用・動作の一例を説明する。スクリーンＰの上端側に配置した回転規制装置の巻取ローラ２から第１のスクリーン部分Ｐ１が引き出されている状態において、エンドレスチェーン５をスクリーンＰの巻き取り方向に引っ張ることによって、図５（ａ）に示すように、第１のスクリーン部分Ｐ１が、堺目Ｓの位置まで、上端側に配置した回転規制装置における巻取ローラ２に巻き取られる。そして、スクリーンＰの下端側に配置した回転規制装置におけるテンションローラ３の取っ手４を下方に引っ張ることで、図５（ｂ）に示すように、下端側に配置した回転規制装置における巻取ローラ２から第２のスクリーン部分Ｐ２が引き出される。
【００４５】
一方、スクリーンＰの下端側に配置された回転規制装置の巻取ローラ２から第２のスクリーン部分Ｐ２が引き出されている状態において、下端側の回転規制装置におけるテンションローラ３の取っ手４を若干下方に引っ張ることで巻取ローラ２の巻き取り方向の回転阻止を解除し、第２のスクリーン部分Ｐ２が、堺目Ｓの位置まで、下端側に配置した回転規制装置における巻取ローラ２に巻き取られる。そして、スクリーンＰの上端側に配置された回転規制装置におけるエンドレスチェーン５をスクリーンＰの引き出し方向に引っ張ることによって、第１のスクリーン部分Ｐ１が引き出される。
【産業上の利用可能性】
【００４６】
本発明は、スクリーンＰの上端側に配置した回転規制装置と、スクリーンＰの下端側に配置した回転規制装置により、スクリーンＰの上端側および下端側において、それぞれスクリーンＰを引き出したり巻き取ることが可能となり、種々のロールブラインド１として広く利用することができる。
【図面の簡単な説明】
【００４７】
【図１】スクリーンの下端側に回転規制装置が配置されたロールブラインドの構成を示し、（ａ）はスクリーンを引き出した状態の正面図、（ｂ）は（ａ）中のＸ−Ｘ線断面図である。
【図２】スクリーンの下端側に回転規制装置が配置されたロールブラインドの構成を示す斜視図である。
【図３】スクリーンの上端側と下端側に回転規制装置が配置されたロールブラインドの構成を示し、（ａ）はスクリーンを引き出した状態の正面図、（ｂ）はスクリーンを引き出した状態の側面図である。
【図４】スクリーンの上端側に配置された回転規制装置の構成を示す斜視図である。
【図５】スクリーンの上端側と下端側に回転規制装置が配置されたロールブラインドの使用状態を説明するもので、（ａ）はスクリーンの巻き取り状態の側面図、（ｂ）はスクリーンの引き出し状態の側面図である。
【符号の説明】
【００４８】
Ｐ…スクリーン                  Ｐ１…第１のスクリーン部分
Ｐ２…第２のスクリーン部分      Ｑ…上側ブラケット
Ｑ１…取付枠部                  Ｑ２…フック部
Ｑ３…固定片                    Ｒ１，Ｒ２…ブラケット
Ｓ…堺目                        Ｔ…変更装置
１…ロールブラインド            ２…巻取ローラ
２Ａ…角穴部                      ３…テンションローラ
４…取っ手                      ５…エンドレスチェーン
６…回転ローラ                  ６Ａ…回転軸
７…クラッチバネ                ８…クラッチ機構部
【図１】
2006188867.tif 000003
【図２】
2006188867.tif 000004
【図３】
2006188867.tif 000005
【図４】
2006188867.tif 000006
【図５】
2006188867.tif 000007